(57)【要約】【課題】壁紙切断用下敷きテープをカッター刃が通過しても、また、壁紙の施工作業者が窮屈な体勢で施工しても、下地を傷つけることがない壁紙切断用下敷きテープを提供する。【解決手段】壁紙施工において壁紙を切断する際に用いられる壁紙切断用下敷きテープ１０であって、表面側に位置する軟質の表面層１２と、表面層１２の下面側に位置する表面層１２よりも硬質の中間層１４と、中間層１４の下面側で、壁、天井などの下地側に位置する凹凸が形成された凹凸層１６とを備える。【選択図】図１
2019100042.tif 000002
【特許請求の範囲】
【請求項１】
壁紙施工において壁紙を切断する際に用いられる壁紙切断用下敷きテープであって、
表面側に位置する軟質の表面層と、
前記表面層の下面側に位置する前記表面層よりも硬質の中間層と、
前記中間層の下面側で、壁、天井などの下地側に位置する凹凸が形成された凹凸層と、
を備えることを特徴とする壁紙切断用下敷きテープ。
【請求項２】
前記壁紙切断用下敷きテープが、巻管に巻装されており、
前記壁紙切断用下敷きテープの巻き始め端が、長手方向に一定間隔離間して、前記巻管に貼着されていることを特徴とする請求項１に記載の壁紙切断用下敷きテープ。
【請求項３】
前記壁紙切断用下敷きテープが、前記壁紙切断用下敷きテープの幅方向の一端部から所定距離離間して、長手方向にミシン目切断線が形成されていることを特徴とする請求項１から２のいずれかに記載の壁紙切断用下敷きテープ。
【請求項４】
前記凹凸層が、平面視で略格子状の凹凸から形成されていることを特徴とする請求項１から３のいずれかに記載の壁紙切断用下敷きテープ。
【請求項５】
壁紙施工において壁紙を切断する際に用いられる壁紙切断用テープであって、
前記壁紙切断用テープが、前記壁紙切断用テープの幅方向の一端部から所定距離離間して、長手方向にミシン目切断線が形成されていることを特徴とする壁紙切断用テープ。
【請求項６】
壁紙施工において壁紙を切断する際に用いられる壁紙切断用テープであって、
前記壁紙切断用テープが、巻管に巻装されており、
前記壁紙切断用テープの巻き始め端が、長手方向に一定間隔離間して、前記巻管に貼着されていることを特徴とする壁紙切断用テープ。
【請求項７】
前記壁紙切断用テープが、前記壁紙切断用テープの幅方向の一端部から所定距離離間して、長手方向にミシン目切断線が形成されていることを特徴とする請求項６に記載の壁紙切断用テープ。
【発明の詳細な説明】
【技術分野】
【０００１】
本発明は、壁紙（クロス）の裏面に、例えば、天井、壁面などの下地に貼着するための糊を、所定の量で、所定の長さの壁紙に自動的に塗布するための自動壁紙糊付機に使用する壁紙切断用下敷きテープおよび壁紙切断用テープに関する。
【背景技術】
【０００２】
従来より、このような、壁紙の裏面に、糊を自動的に塗布するとともに、例えば、壁紙切断用下敷きテープ、カットテープから構成される壁紙切断用テープを貼着するように構成した自動壁紙糊付機が提案されている。
【０００３】
このような自動壁紙糊付機で糊付けが完了した壁紙は、図５に示したような構造となっている。
【０００４】
すなわち、特許文献１（特開２００８−２７４５５０号公報）に開示されるように、図５の壁紙１００の裏面側の平面図に示したように、壁紙１００には、壁紙１００の糊付け面である裏面１０２に、糊が塗布されている。
【０００５】
また、図５と図６は、壁紙１００を壁面１０８の右から左に向けて貼着する場合を示している。この場合には、壁紙１００の裏面１０２の幅方向の一方の端部１０２ａに、壁紙切断用下敷きテープ１０４が、長手方向に貼着されている。
【０００６】
なお、壁紙の施工作業者によっては、壁紙１００を壁面１０８の左から右に向けて貼着する場合もある。
【０００７】
さらに、壁紙１００の裏面１０２の裏面１０２の幅方向の他方の端部１０２ｂに、カットテープ１０６が、長手方向に貼着されている。
【０００８】
なお、上記のように、壁紙１００を壁面１０８の右から左に向けて貼着する場合、壁紙１００の裏面１０２の幅方向の一方の端部１０２ｂに、カットテープ１０６が、他方の端部１０２ａに、壁紙切断用下敷きテープ１０４が、長手方向に貼着される。
【０００９】
そして、壁紙施工の際には、図６、図７（Ａ）〜（Ｄ）の工程によって、壁紙１００の突合せ部（ジョイント部）の施工が行われる。
【００１０】
すなわち、例えば、ボードなどからなる壁面１０８に、図６、図７（Ａ）に示したように、下側（一枚目）の壁紙１００の糊付け面である裏面１０２を貼着する。そして、壁紙１００の壁紙切断用下敷きテープ１０４側の端部に、上側（二枚目）の壁紙１００の糊付け面である裏面１０２を貼着する。
【００１１】
この際、図６に示したように、上側（二枚目）の壁紙１００のカットテープ１０６が、下側（一枚目）の壁紙１００の壁紙切断用下敷きテープ１０４に重なるように配置する。
【００１２】
そして、図６、図７（Ｂ）の点線Ａで示したように、別途図示しない定規を用いて、カッター１１８で、上側（二枚目）の壁紙１００と、下側（一枚目）の壁紙１００を切断していく。
【００１３】
この際、図６、図７（Ｂ）に示したように、下側（一枚目）の壁紙１００の壁紙切断用下敷きテープ１０４が存在しているので、カッター１１８のカッター刃が、壁紙切断用下敷きテープ１０４を貫通させずに表面を切ることで、確実に壁紙１００を２枚と、カットテープ１０６を切りの残すことなく裁断することができる。
【００１４】
また、石膏ボードなどからなる壁面１０８が傷ついて、壁紙施工後の目開きが起こらないようになっている。
【００１５】
そして、このような切断作業が完了した後、図６、図７（Ｂ）の矢印に示したように、下側（一枚目）の壁紙１００の切断された切断片１１０と、上側（二枚目）の壁紙１００の切断された切断片１１２と、壁紙切断用下敷きテープ１０４と、カットテープ１０６を取り除いていく。
【００１６】
その後、図７（Ｃ）の矢印に示したように、上側（二枚目）の壁紙１００と、下側（一枚目）の壁紙１００のカット部分を、合わせるように、壁紙１００の糊付け面である裏面１０２を、壁面１０８に貼着（接着）させる。
【００１７】
そして、図７（Ｄ）の矢印に示したように、最後に、壁紙１００の突合せ部（ジョイント部）１１４を、ローラー１１６で軽く押さえるようにして、壁紙１００の突合せ部（ジョイント部）１１４の仕上げ施工が行われるようになっている。
【００１８】
これにより、壁紙１００の突合せ部（ジョイント部）１１４が、奇麗に仕上がるとともに、カッター１１８で切断する際に、例えば、ボードなどからなる壁面１０８を傷つけたり、壁紙１００が浮いたりすることなく、施工状態が良好となっている。
【先行技術文献】
【特許文献】
【００１９】
【特許文献１】特開２００８−２７４５５０号公報
【発明の概要】
【発明が解決しようとする課題】
【００２０】
ところで、図８の断面図に示したように、従来の壁紙切断用下敷きテープ２００として、例えば、天井、壁面などの下地２０２側に貼着される基材層２０４と、基材層２０４の上面側に設けられた凹凸が形成された凹凸層２０６を備えている。
【００２１】
なお、この場合、凹凸層２０６は、例えば、平面視で略格子状の凹凸から形成されている。
【００２２】
また、図９の断面図に示したように、従来の壁紙切断用下敷きテープ３００として、例えば、天井、壁面などの下地３０２側に貼着される基材層３０４と、基材層３０４の上面側に設けられた凹凸が形成された凹凸層３０６を備えている。
【００２３】
さらに、凹凸層３０６の上面側に設けられた、例えば、壁紙切断用下敷きテープ３００を、壁紙から剥離する際に、壁紙側の糊が壁紙切断用下敷きテープ３００側に移ってしまわないようにするために、例えば、エンボス加工などが施された表面層３０８を備えている。なお、この場合も、凹凸層３０６は、例えば、平面視で略格子状の凹凸から形成されている。
【００２４】
なお、図８、図９は、従来の壁紙切断用下敷きテープ２００、３００の部分拡大断面図を、あくまで模式的に示すものであって、各層の厚さは、図８、図９の厚さの割合に限定されるものではないことはもちろんである。
【００２５】
しかしながら、従来の下敷きテープ２００、３００では、いずれも、下地２０２、３０２側を傷つけないように、図８、図９に示したように、壁紙に接触する側の面（図８、図９において上面側）に、凹凸層２０６、３０６が形成されている。
【００２６】
すなわち、図７に示したように、壁紙１００の突合せ部（ジョイント部）１１４を、カッター１１８で切断する際に、凹凸層２０６、３０６が、壁紙の施工者に凹凸感覚が直接カッター１１８を握る手に伝わるように、凸凹面が壁紙側に接する面に位置するように設計されている。
【００２７】
また、凸部はカッター１１８で容易に切れにくい、例えば、フィルムや糸などの材質が使用されている。
【００２８】
このため、凹凸層２０６、３０６の凹凸の高低差が低い場合、凹部分にカッター１１８の刃が落ち込んでしまうおそれがある。このようにカッター１１８の刃が落ちた箇所では、壁紙切断用下敷きテープ２００、３００を、カッター１１８の刃が貫通して、例えば、天井、壁面などの下地２０２、３０２を切ってしまうおそれがある。
【００２９】
すなわち、壁紙施工作業後の下地２０２、３０２を確認すると、無数の点線のように傷が付いていることがある。その結果、このような点線部分で、連続的に実線として繋がった箇所から、壁紙側の糊が乾燥して、壁紙に浮いた部分が生じてしまうことになる。
【００３０】
また、このように点線部分が連続的に実線として繋がった箇所において、下地２０２、３０２が目開きして、その上に貼られた壁紙も一緒に引き裂かれてしまうことにもなる。
【００３１】
一方、その反対に、凹凸層２０６、３０６の凹凸の高低差が高い場合、カッター１１８をスライドさせるスピードが速ければ速いほど、凹凸層２０６、３０６の凹部にカッターッター１１８の刃が届かないことがある。
【００３２】
その結果、壁紙の切り損ねが発生するとともに、壁紙の施工作業者が、このような切り損ねを感知できないことが多く、壁紙の切れ端を取り去る際に、切り損ねた箇所をむしり取る形になってしまい、壁紙の施工状態の見栄えが悪くなってしまう。
【００３３】
たとえ、このような切り損ねを、壁紙の施工作業者が感知できたとしても、切り損ね箇所が切れるまで、再度凹凸層２０６、３０６の凹部（壁紙）に、カッター１１８の刃を入れることになるため、いびつな裁断面となって、壁紙の施工状態の見栄えが悪くなってしまう。
【００３４】
さらに、壁紙切断用下敷きテープ２００、３００の表面層（凹凸層２０６、表面層３０８）を、カッター１１８で容易に切れないような硬い材質を使用すればするほど、壁紙の切り損じが発生しやすくなる。
【００３５】
このような状態を避けるために、壁紙の施工作業者は、少し切断状態が深めになるように意識して、カッター１１８を押しつけようとする。このため、カッター１１８の刃が、下地２０２、３０２までまで到達してしまい、下地２０２、３０２までを切ってしまったり、逆に、壁紙切断用下敷きテープ２００、３００の切り損ねが発生してしまうこととになる。
【００３６】
また、壁紙の施工作業者は、切り始めと切終わりにカッター１１８を壁面に当てる力が強くなり、その中間は弱くなる傾向がある。そのため、壁紙の施工作業者が窮屈な体勢でカットする時は、さらにその強弱が大きくなって、下地を切ってしまったり、切り損ねが発生することになる。
【００３７】
従って、図６、図７（Ａ）〜（Ｄ）の工程に示したように、壁紙１００の突合せ部（ジョイント部）の施工（壁紙の重ね切りによるジョイントカット）においては、下記のような壁紙切断用下敷きテープが要望されている。
【００３８】
すなわち、壁紙切断用下敷きテープをカッター刃が通過しても、また、壁紙の施工作業者が窮屈な体勢で施工しても、下地を傷つけることがない壁紙切断用下敷きテープが要望されている。
【００３９】
また、上下に重なった壁紙２枚を切り損ねることを防ぐために、下敷きテープの表面層が、カッター刃によって容易に切れる柔らかい材料であって、確実に壁紙を切断することができる壁紙切断用下敷きテープが要望されている。
【００４０】
一方、自動壁紙糊付機では、自動壁紙糊付機による糊付作業時に、壁紙切断用テープ（壁紙切断用下敷きテープ１０４とカットテープ１０６）が、壁紙１００の糊付け面である裏面１０２に貼着された状態で、壁紙１００の表面側が、作業者側に位置する状態で排出されるので、作業者からは、壁紙切断用テープを、視認することができないようになっている。
【００４１】
このため、巻管にロール形状に巻かれた状態の壁紙切断用テープ（壁紙切断用下敷きテープ１０４とカットテープ１０６）の終端が近づいて、巻き出し切れが発生することが分からず、また、終端が近づいても、巻き出し切れが発生することに気づかないことがある。
【００４２】
例えば、ロール形状に巻かれた状態の壁紙切断用テープが、巻管からはがれた際に発生する異音によって、初めて壁紙切断用テープがなくなったことに気が付くことが多々あった。
【００４３】
しかしながら、この場合、壁紙切断用テープが、巻管からはがれた際に発生する異音が小さい場合には、周囲の作業環境の騒音にかき消されて、作業者が気が付かないこともあった。
【００４４】
従って、従来の自動壁紙糊付機では、このように、壁紙切断用テープの巻き出し切れが発生した状態では、自動壁紙糊付機でセットした長さ分の壁紙１００を、壁紙切断用テープ（壁紙切断用下敷きテープ１０４またはカットテープ１０６）が貼着されない状態で、糊付け工程が行われることになる。
【００４５】
このため、糊付け工程が終了して、セットした長さ分に裁断（カット）することによって、自動壁紙糊付機の下方に折り畳まれた状態の壁紙１００について、壁紙切断用テープが貼着されない分の壁紙１００を、床面などに真っ直ぐに広げて、手作業で、壁紙切断用テープ（壁紙切断用下敷きテープ１０４またはカットテープ１０６）を貼り付ける手間と時間がかかり、煩雑な作業が必要となってしまうことになる。
【００４６】
特に、例えば、６畳、８畳の天井に貼る壁紙１００の長さの平均は、３，６４０ｍｍ程度の長さが一般的であり、壁紙切断用テープが貼着されない部分が長い場合には、このような手作業で、壁紙切断用テープ（壁紙切断用下敷きテープ１０４またはカットテープ１０６）を貼り付けるには、手間と時間がかかり、煩雑な作業が必要となってしまう。
【００４７】
このような手作業による壁紙切断用テープの貼り付け作業が必要であるので、手に糊が付着することになり、手を洗浄して拭き取る作業も必要になり、作業効率が低下する一因ともなっている。
【００４８】
また、巻き出し切れが発生した壁紙切断用テープを、新しい巻管にロール形状に巻かれた状態の壁紙切断用テープ（壁紙切断用下敷きテープ１０４またはカットテープ１０６）と交換する作業も必要になり、作業効率が低下する一因ともなっている。
【００４９】
一方、例えば、天井などに壁紙を施工する際には、図１０に示したように、壁紙４００の裏面４０２の幅方向の端部４０２ａから一定の距離ｔ（例えば、１０〜１５ｍｍ）離間して、壁紙切断用テープ（壁紙切断用下敷きテープまたはカットテープ）４０４を貼着することが行われている。
このような壁紙切断用テープ４０４の貼着は、壁紙糊付機による糊付作業時に、壁紙糊付機によって貼り付けされている。
【００５０】
これにより、壁紙４００の裏面４０２の幅方向の端部４０２ａから一定の距離ｔだけ糊面が有することになって、天井に壁紙４００を仮止めすることができ、壁紙施工に便利なように構成されている。
【００５１】
しかしながら、このような壁紙４００の裏面４０２の幅方向の端部から一定の距離だけ糊面が有する場合には、糊面が露出していることになる。
このため、壁紙４００の端部から、壁紙４００へ塗布した糊をなじませるためのオープンタイムを含めて徐々に糊が乾燥してしまい、貼着機能が失われてしまう。
これにより、壁紙糊付機で糊付され糊付面が合わされた状態で折りたたまれた壁紙を引きはがすことができなくなり、相剥ぎが起こって壁紙４００の裏紙が破れてしまうことにより、壁紙４００の天井への仮止めができないことになる。
【００５２】
さらに、このような壁紙４００の裏面４０２の幅方向の端部から一定の距離だけ糊面が有する場合には、糊面が露出して、糊が乾燥してしまい、貼着機能が失われてしまうので、長時間糊付した壁紙４００を保管しておくことができない。
従って、糊面の糊の乾燥防止の為に保管機能を有する袋やケースの中へ水分を含ませたスポンジ・タオルなどを入れ、保水をしたり、あるいは糊付け後の壁紙を気をつけて、早め早めに壁紙４００の貼着を行わねばならなず不便である。
【００５３】
本発明は、このような現状に鑑み、壁紙切断用下敷きテープをカッター刃が通過しても、また、壁紙の施工作業者が窮屈な体勢で施工しても、下地を傷つけることがない壁紙切断用下敷きテープを提供することを目的とする。
【００５４】
また、本発明は、壁紙切断用下敷きテープの表面層が、カッター刃によって容易に切れる柔らかい材料であって、上下に重なった壁紙２枚を切り損ねることを防ぐことができ、確実に壁紙を切断することができ、かつ下地にまで到達しにくい壁紙切断用下敷きテープを提供することを目的とする。
【００５５】
また、本発明は、巻管にロール形状に巻かれた状態の壁紙切断用テープの終端が近づいて、巻き出し切れが発生することを事前に検知することが可能で、従来の自動壁紙糊付機のように、壁紙切断用テープが貼着されない状態で、糊付け工程が行われることのない壁紙切断用下敷きテープおよび壁紙切断用テープを提供することを目的とする。
【００５６】
また、本発明は、従来の自動壁紙糊付機のように、壁紙切断用テープが貼着されない分の壁紙を、床面などに真っ直ぐに広げて、手作業で、壁紙切断用テープを貼り付ける煩雑な作業が不要で、作業効率が良好で、新しい壁紙切断用テープと交換することが容易な、壁紙切断用下敷きテープおよび壁紙切断用テープを提供することを目的とする。
【００５７】
さらに、本発明は、壁紙の裏面の幅方向の端部から一定の距離だけ糊面が有することにより、例えば、天井に壁紙を仮止めすることができ、壁紙施工に便利であり、しかも、壁紙の端部から糊が乾燥するのを極力防ぐことによって相剥ぎを防ぐことができ、貼着機能が失われることがなく、壁紙の天井への仮止めができる壁紙切断用下敷きテープおよび壁紙切断用テープを提供することを目的とする。
【課題を解決するための手段】
【００５８】
本発明は、前述したような従来技術における課題及び目的を達成するために発明されたものであって、本発明の壁紙切断用下敷きテープは、
壁紙施工において壁紙を切断する際に用いられる壁紙切断用下敷きテープであって、
表面側に位置する軟質の表面層と、
前記表面層の下面側に位置する前記表面層よりも硬質の中間層と、
前記中間層の下面側で、壁、天井などの下地側に位置する凹凸が形成された凹凸層と、
を備えることを特徴とする。
【００５９】
このように構成することによって、表面側に位置する軟質の表面層を、連続した実線でカッターにより切断することができ、壁紙を切り損ねることなく確実に切断できる。
【００６０】
しかも、表面層の下面側に、表面層よりも硬質の中間層が位置するので、硬質の中間層により、カッター刃が連続して下地へ到達するのを、ある程度物理的に防ぐことができる。
【００６１】
さらに、中間層の下面側で、壁、天井などの下地側に位置する凹凸が形成された凹凸層を備えているので、凹凸層の凸凹により、壁紙施工作業者が、壁紙の突合せ部（ジョイント部）の施工（壁紙の重ね切りによるジョイントカット）する際に、壁紙施工作業者に対して、カッター刃に振動を伝えることができ、その振動により、壁紙施工作業が、感覚的に力加減を微妙にコントロールすることができ、壁紙を切り損ねることなく確実に切断できる。
【００６２】
しかも、表面層と、表面層よりも硬質の中間層と、下地側に位置する凹凸が形成された凹凸層との三層構造の物理的な厚みによって、下地へカッター刃が到達するのを防止することができる。その結果、下地に連続した切れ目が存在しにくくなるので、目開きが発生しにくくなり、壁紙施工の見栄えが良くなる。
【００６３】
従って、壁紙切断用下敷きテープをカッター刃が通過しても、また、壁紙の施工作業者が窮屈な体勢で施工しても、下地を傷つけることが少ない壁紙切断用下敷きテープを提供することができる。
【００６４】
また、壁紙切断用下敷きテープの表面層が、カッター刃によって容易に切れる柔らかい材料であって、上下に重なった壁紙２枚を切り損ねることを防ぐことができ、確実に壁紙を切断することができる壁紙切断用下敷きテープを提供することができる。
【００６５】
また、本発明の壁紙切断用下敷きテープは、
前記壁紙切断用下敷きテープが、巻管に巻装されており、
前記壁紙切断用下敷きテープの巻き始め端が、長手方向に一定間隔離間して、前記巻管に貼着されていることを特徴とする。
【００６６】
このように構成することによって、壁紙切断用下敷きテープが、巻管に巻装されており、壁紙切断用下敷きテープの巻き始め端が、長手方向に一定間隔離間して、巻管に貼着されている。
これにより、壁紙切断用下敷きテープが、巻管からはがれた際に発生する複数段階の異音によって、巻管にロール形状に巻かれた状態の壁紙切断用下敷きテープの終端が近づいて、巻き出し切れが発生することを事前に検知することが可能である。
また、従来の自動壁紙糊付機のように、壁紙切断用下敷きテープが貼着されない状態で、糊付け工程が行われることのない壁紙切断用下敷きテープを提供することができる。
【００６７】
また、従来の自動壁紙糊付機のように、壁紙切断用下敷きテープが貼着されない分の壁紙を、床面などに真っ直ぐに広げて、手作業で、壁紙切断用下敷きテープを貼り付ける煩雑な作業が不要で、作業効率が良好で、新しい壁紙切断用下敷きテープと交換することが容易な、壁紙切断用下敷きテープを提供することができる。
【００６８】
また、本発明の壁紙切断用下敷きテープは、
前記壁紙切断用下敷きテープが、前記壁紙切断用下敷きテープの幅方向の一端部から所定距離離間して、長手方向にミシン目切断線が形成されていることを特徴とする。
【００６９】
このように構成することによって、壁紙切断用下敷きテープの幅方向の一端部から所定距離離間して、長手方向にミシン目切断線が形成されているので、ミシン目切断線から壁紙の端部側の壁紙切断用下敷きテープを剥離することによって、壁紙の裏面の幅方向の端部から一定の距離だけ糊面が有することになる。
【００７０】
その結果、例えば、天井に壁紙を仮止めすることができ、壁紙施工に便利であり、しかも、壁紙の端部は、壁紙切断用下敷きテープで覆われた状態であるので、壁紙の端部から糊が乾燥するのを極力防ぐことによって相剥ぎを防ぐことができ、貼着機能が失われることがない。
【００７１】
しかも、壁紙の天井への仮止めの際には、ミシン目切断線から壁紙の端部側の壁紙切断用下敷きテープを容易に剥離することができ、壁紙の裏面の幅方向の端部から一定の距離だけ糊面が有することになって、壁紙の天井への仮止めができ、極めて便利である。
【００７２】
また、本発明の壁紙切断用下敷きテープは、
前記凹凸層が、平面視で略格子状の凹凸から形成されていることを特徴とする。
【００７３】
このように構成することによって、凹凸層の略格子状の凸凹により、壁紙施工作業者が、壁紙の突合せ部（ジョイント部）の施工（壁紙の重ね切りによるジョイントカット）する際に、壁紙施工作業者に対して、カッター刃に振動を伝えることができ、その振動により、壁紙施工作業が、感覚的に力加減を微妙にコントロールすることができ、壁紙を切り損ねることなく確実に切断できる。
【００７４】
また、本発明の壁紙切断用テープは、
壁紙施工において壁紙を切断する際に用いられる壁紙切断用テープであって、
前記壁紙切断用テープが、前記壁紙切断用テープの幅方向の一端部から所定距離離間して、長手方向にミシン目切断線が形成されていることを特徴とする。
【００７５】
このように構成することによって、壁紙切断用テープの幅方向の一端部から所定距離離間して、長手方向にミシン目切断線が形成されているので、ミシン目切断線から壁紙の端部側の壁紙切断用テープを剥離することによって、壁紙の裏面の幅方向の端部から一定の距離だけ糊面が有することになる。
【００７６】
その結果、例えば、天井に壁紙を仮止めすることができ、壁紙施工に便利であり、しかも、壁紙の端部は、壁紙切断用テープで覆われた状態であるので、壁紙の端部から糊が乾燥のを極力防ぐことによって相剥ぎを防ぐことができ、貼着機能が失われることがない。
【００７７】
しかも、壁紙の天井への仮止めの際には、ミシン目切断線から壁紙の端部側の壁紙切断用テープを容易に剥離することができ、壁紙の裏面の幅方向の端部から一定の距離だけ糊面が有することになって、壁紙の天井への仮止めができ、極めて便利である。
【００７８】
また、本発明の壁紙切断用テープは、
壁紙施工において壁紙を切断する際に用いられる壁紙切断用テープであって、
前記壁紙切断用テープが、巻管に巻装されており、
前記壁紙切断用テープの巻き始め端が、長手方向に一定間隔離間して、前記巻管に貼着されていることを特徴とする。
【００７９】
このように構成することによって、壁紙切断用テープが、巻管に巻装されており、壁紙切断用テープの巻き始め端が、長手方向に一定間隔離間して、巻管に貼着されているので、壁紙切断用テープが、巻管からはがれた際に発生する複数段階の異音によって、巻管にロール形状に巻かれた状態の壁紙切断用テープの終端が近づいて、巻き出し切れが発生することを事前に検知することが可能で、従来の自動壁紙糊付機のように、壁紙切断用テープが貼着されない状態で、糊付け工程が行われることのない壁紙切断用テープを提供することができる。
【００８０】
また、従来の自動壁紙糊付機のように、壁紙切断用テープが貼着されない分の壁紙を、床面などに真っ直ぐに広げて、手作業で、壁紙切断用テープを貼り付ける煩雑な作業が不要で、作業効率が良好で、新しい壁紙切断用テープと交換することが容易な、壁紙切断用テープを提供することができる。
【００８１】
また、本発明の壁紙切断用テープは、
前記壁紙切断用テープが、前記壁紙切断用テープの幅方向の一端部から所定距離離間して、長手方向にミシン目切断線が形成されていることを特徴とする。
【００８２】
このように構成することによって、壁紙切断用テープの幅方向の一端部から所定距離離間して、長手方向にミシン目切断線が形成されているので、ミシン目切断線から壁紙の端部側の壁紙切断用テープを剥離することによって、壁紙の裏面の幅方向の端部から一定の距離だけ糊面が有することになる。
【００８３】
その結果、例えば、天井に壁紙を仮止めすることができ、壁紙施工に便利であり、しかも、壁紙の端部は、壁紙切断用テープで覆われた状態であるので、壁紙の端部から糊が乾燥することなく、貼着機能が失われることがない。
【００８４】
しかも、壁紙の天井への仮止めの際には、ミシン目切断線から壁紙の端部側の壁紙切断用テープを容易に剥離することができ、壁紙の裏面の幅方向の端部から一定の距離だけ糊面が有することになって、壁紙の天井への仮止めができ、極めて便利である。
【発明の効果】
【００８５】
本発明によれば、表面側に位置する軟質の表面層を、連続した実線でカッターにより切断することができ、壁紙を切り損ねることなく確実に切断できる。
【００８６】
しかも、表面層の下面側に、表面層よりも硬質の中間層が位置するので、硬質の中間層により、カッター刃が連続して下地へ到達するのを、ある程度物理的に防ぐことができる。
【００８７】
さらに、中間層の下面側で、壁、天井などの下地側に位置する凹凸が形成された凹凸層を備えているので、凹凸層の凸凹により、壁紙施工作業者が、壁紙の突合せ部（ジョイント部）の施工（壁紙の重ね切りによるジョイントカット）する際に、壁紙施工作業者に対して、カッター刃に振動を伝えることができ、その振動により、壁紙施工作業が、感覚的に力加減を微妙にコントロールすることができ、壁紙を切り損ねることなく確実に切断できる。
【００８８】
しかも、表面層と、表面層よりも硬質の中間層と、下地側に位置する凹凸が形成された凹凸層との三層構造の物理的な厚みによって、下地へカッター刃が到達するのを防止することができる。その結果、下地に連続した切れ目が存在にくくなるので、目開きが発生しにくくなり、壁紙施工の見栄えが良くなる。
【００８９】
従って、壁紙切断用下敷きテープをカッター刃が通過しても、また、壁紙の施工作業者が窮屈な体勢で施工しても、下地を傷つけることが少ない壁紙切断用下敷きテープを提供することができる。
【００９０】
また、壁紙切断用下敷きテープの表面層が、カッター刃によって容易に切れる柔らかい材料であって、上下に重なった壁紙２枚を切り損ねることを防ぐことができ、確実に壁紙を切断することができる壁紙切断用下敷きテープを提供することができる。
【図面の簡単な説明】
【００９１】
【図１】図１は、本発明の壁紙切断用下敷きテープ１０の部分拡大断面図である。
【図２】図２は、本発明の別の実施例の壁紙切断用下敷きテープを説明する概略斜視図である。
【図３】図３は、本発明の別の実施例の壁紙切断用下敷きテープを壁紙の裏面側に貼着した状態を説明する壁紙の裏面から見た平面図である。
【図４】図４は、図３の壁紙を用いて、天井などの下地に仮止めする工程を説明する概略図であるである。
【図５】図５は、壁紙１００の裏面側の平面図である。
【図６】図６は、壁紙１００の施工方法を説明する概略上面図である。
【図７】図７は、壁紙１００の施工方法を説明する概略図である。
【図８】図８は、従来の壁紙切断用下敷きテープを示す部分拡大断面図である。
【図９】図９は、従来の壁紙切断用下敷きテープを示す部分拡大断面図である。
【図１０】図１０は、従来の壁紙切断用下敷きテープを示す壁紙の裏面側の平面図である。
【図１１】図１１は、本発明の別の実施例の壁紙切断用下敷きテープ１０の部分拡大断面図である。
【発明を実施するための形態】
【００９２】
以下、本発明の実施の形態（実施例）を図面に基づいてより詳細に説明する。
（実施例１）
【００９３】
図１は、本発明の壁紙切断用下敷きテープ１０の部分拡大断面図である。
【００９４】
図１において、符号１０は、全体で本発明の壁紙切断用下敷きテープ１０を示している。
【００９５】
本発明の壁紙切断用下敷きテープ１０は、前述の図６、図７に示したように、壁紙施工において壁紙を切断する際に用いられる壁紙切断用下敷きテープ１０である。
【００９６】
図１に示したように、壁紙切断用下敷きテープ１０は、表面側（カッターの刃が当たる側）に位置する軟質の表面層１２を備えている。そして、表面層１２の下面側に位置する表面層よりも硬質の中間層１４を備えている。さらに、中間層１４の下面側で、例えば、壁、天井などの下地側に位置する凹凸が形成された凹凸層１６を備えている。
【００９７】
この場合、表面層１２は、例えば、ポリエチレンなどの、柔らかくて（軟質の）カッターの刃によって、容易に切断し易いフラットなフィルムから構成されているのが望ましい。
【００９８】
また、中間層１４は、例えば、ポリエチレンより硬質のポリプロピレン、アルミ箔などの金属を蒸着するなどにより形成した金属層などの、表面層１２よりも硬質の中間層１４から構成されているのが望ましい。
【００９９】
さらに、凹凸層１６は、例えば、ポリエチレンより硬質のポリプロピレンなどの、表面層１２よりもよりも硬質の凹凸層１６から構成されているのが望ましい。
【０１００】
また、凹凸層１６は、凹凸を有していればその構造は、特に限定されるものではないが、凹凸層の凸凹により、壁紙施工作業者が、壁紙の突合せ部（ジョイント部）の施工（壁紙の重ね切りによるジョイントカット）する際に、壁紙施工作業者に対して、カッター刃に振動を伝えることができ、その振動により、壁紙施工作業が、感覚的に力加減を微妙にコントロールすることができ、壁紙を切り損ねることなく確実に切断できる構造であるのが望ましい。
【０１０１】
このような凹凸層１６としては、例えば、凹凸層１６が、平面視で略格子状の凹凸から形成されているのが望ましい。
【０１０２】
さらに、この場合、表面層１２と、中間層１４と、凹凸層１６との硬さの割合は、特に限定されるものではないが、後述する壁紙の切断効果を考慮すれば、表面層１２と、中間層１４と、凹凸層１６との硬さの割合としては、例えば、中間層１４と、凹凸層１６の硬さを、表面層１２の硬さに対して、１．５倍程度の硬さにするのが望ましい。
【０１０３】
また、この場合、表面層１２と、中間層１４と、凹凸層１６との厚さの割合は、表面層１２と、中間層１４と、凹凸層１６の材質に応じて適宜選択すれば良く、特に限定されるものではない。
【０１０４】
この場合、後述する壁紙の切断効果を考慮すれば、例えば、表面層１２の厚さを０．０４ｍｍ、中間層１４の厚さを０．０４ｍｍと、凹凸層１６の厚さを０．１８ｍｍとするのが望ましい。
【０１０５】
なお、上記の各層の厚みについては、ここで説明した厚みに、何ら限定されるものではないことはもちろんである。
また、壁紙切断用下敷きテープ１０の厚みとしても特に限定されるものではないが、薄い方がより望ましいく、例えば、壁紙切断用下敷きテープ１０の厚みは、０．１〜０．４ｍｍ程度にしておくことのが望ましい。
【０１０６】
さらに、凹凸層１６の凹凸面の凸凹の間の距離は、図１に示したように、所定の均一な間隔でも、また、不均等(ランダム)な間隔でも良い。
【０１０７】
また、図１１に示したように、凹凸層１６の下側に（下地側に）、もう一層、凹凸層１６の凹凸と逆の凹凸の配置となるように、第２の凹凸層１８を設けても良い。
この第２の凹凸層１８の凹凸面の凸凹の間の距離は、図１に示したように、所定の均一な間隔でも、また、不均等(ランダム)な間隔でも良い。
【０１０８】
この場合にも、面層１２と、中間層１４と、凹凸層１６、第２の凹凸層１８との厚さの割合は、表面層１２と、中間層１４と、凹凸層１６、第２の凹凸層１８の材質に応じて適宜選択すれば良く、特に限定されるものではない。
【０１０９】
この場合、後述する壁紙の切断効果を考慮すれば、例えば、表面層１２の厚さを０．０４ｍｍ、中間層１４の厚さを０．０４ｍｍと、凹凸層１６の厚さを０．１ｍｍ、第２の凹凸層１８の厚さを０．１ｍｍとするのが望ましい。
【０１１０】
なお、この場合、凹凸層１６、第２の凹凸層１８の２つの凹凸層を設けたが、３つ以上の複数の凹凸層を設けることももちろん可能である。
【０１１１】
なお、図１、図１１は、本発明の壁紙切断用下敷きテープ１０の部分拡大断面図を、あくまで模式的に示すものであって、各層の厚さは、図１、図１１の厚さの割合に限定されるものではないことはもちろんである。
【０１１２】
このように構成することによって、表面側に位置する軟質の表面層１２を、連続した実線でカッターにより切断することができ、壁紙を切り損ねることなく確実に切断できる。
【０１１３】
しかも、表面層１２の下面側に、表面層１２よりも硬質の中間層１４が位置するので、硬質の中間層１４により、カッター刃が連続して下地へ到達するのを、ある程度物理的に防ぐことができる。
【０１１４】
さらに、中間層１４の下面側で、壁、天井などの下地側に位置する凹凸が形成された凹凸層１６を備えているので、凹凸層１６の凸凹により、壁紙施工作業者が、壁紙の突合せ部（ジョイント部）の施工（壁紙の重ね切りによるジョイントカット）する際に、壁紙施工作業者に対して、カッター刃に振動を伝えることができ、その振動により、壁紙施工作業が、感覚的に力加減を微妙にコントロールすることができ、壁紙を切り損ねることなく確実に切断できる。
【０１１５】
しかも、表面層１２と、表面層１２よりも硬質の中間層１４と、下地側に位置する凹凸が形成された凹凸層１６との三層構造の物理的な厚みによって、下地へカッター刃が到達するのを防止することができる。その結果、下地に連続した切れ目が存在にくくなるので、目開きが発生しにくくなり、壁紙施工の見栄えが良くなる。
【０１１６】
従って、壁紙切断用下敷きテープ１０をカッター刃が通過しても、また、壁紙の施工作業者が窮屈な体勢で施工しても、下地を傷つけることがない壁紙切断用下敷きテープを提供することができる。
【０１１７】
また、壁紙切断用下敷きテープ１０の表面層１２が、カッター刃によって容易に切れる柔らかい材料であって、上下に重なった壁紙２枚を切り損ねることを防ぐことができ、確実に壁紙を切断することができる壁紙切断用下敷きテープ１０を提供することができる。
（実施例２）
【０１１８】
図２は、本発明の別の実施例の壁紙切断用下敷きテープを説明する概略斜視図である。
【０１１９】
図２に示したように、この実施例の壁紙切断用下敷きテープ２０は、巻管２２に巻装されている。そして、壁紙切断用下敷きテープ２０の巻き始め端２４ａ（裏面）が、例えば、粘着剤（例えば、両面テープで）巻管２２に貼着されている。そして、この巻き始め端２４ａから、一定間隔Ｓ離間して、壁紙切断用下敷きテープ２０（裏面）が、例えば、粘着剤（例えば、両面テープで）を介して、壁紙切断用下敷きテープ２０の表面を介して、間接的に巻管２２に貼着されている（この実施例の場合には、図２の巻き始め端２４ａ、巻き始め端２４ｂ、巻き始め端２４ｃの３か所で巻管２２に貼着されている）。
【０１２０】
この場合、貼着箇所の数、一定間隔Ｓとしては、適宜選択すれば良く、特に限定されるものではなく、図２に示したように、Ｓ１とＳ２の距離を同じ距離、または、異なった距離だけ離間することもできる。
【０１２１】
また、図２の巻き始め端２４ａ、巻き始め端２４ｂ、巻き始め端２４ｃの幅も特に限定されるものでなく、巻管からはがれた際に発生する音の大きさなどを考慮して適宜設定すれば良い。
【０１２２】
このように構成することによって、壁紙切断用下敷きテープ２０が、巻管２２に巻装されており、壁紙切断用下敷きテープ２０の巻き始め端（この実施例の場合には、図２の２４ａ、２４ｂ、２４ｃの３か所）が、長手方向に一定間隔離間して、巻管２２に貼着されている。
これにより、壁紙切断用下敷きテープ２０が、巻管からはがれた際に発生する複数段階の異音によって、巻管２２にロール形状に巻かれた状態の壁紙切断用下敷きテープ２０の終端が近づいて、巻き出し切れが発生することを事前に検知することが可能である。
また、従来の自動壁紙糊付機のように、壁紙切断用下敷きテープ２０が貼着されない状態で、糊付け工程が行われることのない壁紙切断用下敷きテープ２０を提供することができる。
【０１２３】
また、従来の自動壁紙糊付機のように、壁紙切断用下敷きテープ２０が貼着されない分の壁紙を、床面などに真っ直ぐに広げて、手作業で、壁紙切断用下敷きテープ２０を貼り付ける煩雑な作業が不要で、作業効率が良好で、新しい壁紙切断用下敷きテープ２０と交換することが容易な、壁紙切断用下敷きテープ２０を提供することができる。
【０１２４】
なお、この実施例の場合には、壁紙切断用下敷きテープ２０について説明したが、例えば、壁紙切断用下敷きテープ、カットテープから構成される壁紙切断用テープに適用することが可能である。
（実施例３）
【０１２５】
図３は、本発明の別の実施例の壁紙切断用下敷きテープを壁紙の裏面側に貼着した状態を説明する壁紙の裏面から見た平面図、図４は、図３の壁紙を用いて、天井などの下地に仮止めする工程を説明する概略図である。
【０１２６】
図３に示したように、この実施例の壁紙切断用下敷きテープ３０は、壁紙切断用下敷きテープ３０の幅方向の一端部３０ａから所定距離Ｔ（例えば、１０〜１５ｍｍ）離間して、長手方向にミシン目切断線３４が形成されている。
【０１２７】
また、壁紙切断用下敷きテープ３０の一端部３０ａと壁紙３２の裏面（糊付け面）の一端部３２ａが一致するように、壁紙３２の裏面の長手方向に、壁紙切断用下敷きテープ３０が貼着されている。
【０１２８】
そして、例えば、天井などに壁紙３２を施工する際には、図４の矢印に示したように、ミシン目切断線３４から壁紙３２の端部３２ａ側の壁紙切断用下敷きテープ３０を剥離することによって、壁紙３２の裏面の幅方向の端部から一定の距離だけ糊面が有することになる。
【０１２９】
その結果、例えば、天井に壁紙３２を仮止めすることができ、壁紙施工に便利であり、しかも、壁紙３２の端部３２ａは、壁紙切断用下敷きテープ３０で覆われた状態であるので、壁紙３２の端部３２ａから糊が乾燥するのを極力防ぐことによって相剥ぎを防ぐことができ、貼着機能が失われることがない。
【０１３０】
しかも、壁紙３２の天井への仮止めの際には、ミシン目切断線３４から壁紙３２の端部３２ａ側の壁紙切断用下敷きテープ３０を容易に剥離することができ、壁紙３２の裏面の幅方向の端部から一定の距離だけ糊面が有することになって、壁紙３２の天井への仮止めができ、極めて便利である。
【０１３１】
なお、この実施例の場合には、壁紙切断用下敷きテープ３０について説明したが、例えば、壁紙切断用下敷きテープ、カットテープから構成される壁紙切断用テープに適用することが可能である。
【０１３２】
以上、本発明の実施例について説明したが、本発明は、上記実施例に限定されるものではなく、本発明の目的を逸脱しない範囲で種々の変更が可能である。
【産業上の利用可能性】
【０１３３】
本発明は、壁紙（クロス）の裏面に、例えば、天井、壁面などの下地に貼着するための糊を、所定の量で、所定の長さの壁紙に自動的に塗布するための自動壁紙糊付機に使用する壁紙切断用下敷きテープおよび壁紙切断用テープに適用することができる。
【符号の説明】
【０１３４】
１０    壁紙切断用下敷きテープ
１２    表面層
１４    中間層
１６    凹凸層
１８    第２の凹凸層
２０    テープ
２２    巻管
２４ａ    端
２５    制御部
２６    駆動部
３０    テープ
３０ａ    一端部
３２    壁紙
３２ａ    一端部
３２ａ    端部
３４    ミシン目切断線
１００    壁紙
１０２    裏面
１０２ａ    端部
１０２ｂ    端部
１０４    テープ
１０６    カットテープ
１０８    壁面
１１０    切断片
１１２    切断片
１１６    ローラー
１１８    カッター
１１８    直接カッター
１１８    カッター
１１８    カッターッター
１１８    カッター
２００    テープ
２００    壁紙切断用テープ
２０２    下地
２０４    基材層
２０６    凹凸層
２０６    再度凹凸層
２０６    凹凸層
２０６    検知手段
２２２    検知手段検出手段
３００    テープ
３０２    下地
３０４    基材層
３０６    凹凸層
３０８    表面層
４００    壁紙
４０２    裏面
４０２ａ    端部
Ａ    点線
Ｓ    一定間隔
ｔ    距離
Ｔ    所定距離
【図１】
2019100042.tif 000003
【図２】
2019100042.tif 000004
【図３】
2019100042.tif 000005
【図４】
2019100042.tif 000006
【図５】
2019100042.tif 000007
【図６】
2019100042.tif 000008
【図７】
2019100042.tif 000009
【図８】
2019100042.tif 000010
【図９】
2019100042.tif 000011
【図１０】
2019100042.tif 000012
【図１１】
2019100042.tif 000013